Podtech/llm-jp-corpus-v4-ja_patent huggingface dataset:
【手続補正書】
【提出日】平成17年2月15日(2005.2.15)
【手続補正１】
【補正対象書類名】明細書
【補正対象項目名】特許請求の範囲
【補正方法】変更
【補正の内容】
【特許請求の範囲】
【請求項１】
情報機器から当該情報機器の状態に関する通知である状態通知を受信するための状態通知受信装置であって、
前記状態通知を受信するためのポート番号を変更する変更処理を行う変更手段と、
前記変更手段により前記変更処理が行われた場合、前記変更処理前のポート番号および前記変更処理後のポート番号のいずれを用いても前記状態通知を受信可能とする制御を行う制御手段と
を有する状態通知受信装置。
【請求項２】
前記情報機器は、印刷装置である請求項１に記載の状態通知受信装置。
【請求項３】
前記情報機器から前記状態通知を送信してもらうための予約を登録する登録手段をさらに有し、
前記制御手段は、前記予約が登録されているとき、前記制御を行う請求項１または２に記載の状態通知受信装置。
【請求項４】
前記制御手段は、前記予約に基づく状態通知が受信された後、前記変更処理前のポート番号を用いた前記状態通知の受信を拒絶する請求項３に記載の状態通知受信装置。
【請求項５】
前記制御手段は、前記状態通知の受信を許容する期限として設定された所定日時以後、前記変更処理前のポート番号を用いた前記状態通知の受信を拒絶する請求項１または２に記載の状態通知受信装置。
【請求項６】
前記所定日時は、ユーザの操作に基づいて設定可能である請求項５に記載の状態通知受信装置。
【請求項７】
前記情報機器から前記状態通知を送信してもらうための予約を登録する登録手段をさらに有し、
前記制御手段は、前記予約に基づく状態通知が受信されたとき、または前記状態通知の受信を許容する期限として設定された所定日時のいずれか早いときの後、前記変更処理前のポート番号を用いた前記状態通知の受信を拒絶する請求項１または２に記載の状態通知受信装置。
【請求項８】
情報機器から当該情報機器の状態に関する通知である状態通知を受信するための状態通知受信方法であって、
前記状態通知を受信するためのポート番号を変更する変更処理を行う変更ステップと、
前記変更ステップにおいて前記変更処理が行われた場合、前記変更処理前のポート番号および前記変更処理後のポート番号のいずれを用いても前記状態通知を受信可能とする制御を行う制御ステップと
を有する状態通知受信方法。
【請求項９】
情報機器から当該情報機器の状態に関する通知である状態通知を受信するためのプログラムであって、
前記状態通知を受信するためのポート番号を変更する変更処理を行う変更手順と、
前記変更手順において前記変更処理が行われた場合、前記変更処理前のポート番号および前記変更処理後のポート番号のいずれを用いても前記状態通知を受信可能とする制御を行う制御手順と
をコンピュータに実行させるためのプログラム。
【請求項１０】
請求項９に記載のプログラムを記録したコンピュータ読み取り可能な記録媒体。
【手続補正書】
【提出日】平成17年6月15日(2005.6.15)
【手続補正１】
【補正対象書類名】明細書
【補正対象項目名】請求項４
【補正方法】変更
【補正の内容】
【請求項４】
前記ステップ３において、
前記第１のデータベースと前記終端データベース以外のデータベースであって、指示された図形に対応するデータベースを全て経由しない検索経路候補のみに検索経路を絞り込むステップを有することを特徴とする請求項１又は２に記載のデータベース検索経路指定方法。
【手続補正書】
【提出日】平成16年8月31日(2004.8.31)
【手続補正１】
【補正対象書類名】明細書
【補正対象項目名】発明の名称
【補正方法】変更
【補正の内容】
【発明の名称】紫外線照射方法及び装置
【手続補正２】
【補正対象書類名】明細書
【補正対象項目名】特許請求の範囲
【補正方法】変更
【補正の内容】
【特許請求の範囲】
【請求項１】
紫外線光源の周囲にらせん状水路を設け、該らせん状水路における隣接する水路相互の間に空間を設け、らせん状水路を包囲する反射板を設けた紫外線照射装置に原水を通すことを特徴とする紫外線照射方法。
【請求項２】
該紫外線照射装置の反射板がアルミニウム製又はアルミニウム合金製であることを特徴とする請求項１記載の紫外線照射方法。
【請求項３】
該紫外線照射装置のらせん状水路における隣接する水路相互の間の空間に窒素ガスを満たすことを特徴とする請求項１又は請求項２記載の紫外線照射方法。
【請求項４】
原水がダイオキシン類含有排水であることを特徴とする請求項１〜３のいずれか１項記載の紫外線照射方法。
【請求項５】
紫外線光源の周囲にらせん状水路を設けた紫外線照射装置において、らせん状水路における隣接する水路相互の間に空間を設け、らせん状水路を包囲する反射板を設けることを特徴とする紫外線照射装置。
【請求項６】
反射板がアルミニウム製又はアルミニウム合金製であることを特徴とする請求項５記載の紫外線照射装置。
【請求項７】
らせん状水路における隣接する水路相互の間の空間に窒素ガスを満たすことを特徴とする請求項５又は請求項６記載の紫外線照射装置。
【請求項８】
らせん状水路にダイオキシン類含有排水を通すことを特徴とする請求項５〜７のいずれか１項記載の紫外線照射装置。
【手続補正３】
【補正対象書類名】明細書
【補正対象項目名】０００１
【補正方法】変更
【補正の内容】
【０００１】
【発明の属する技術分野】
本発明は、排水、河川水、上水、純水などの液体（以下「原水」ということがある）又は気体に含まれる有機物、例えば、難分解性ＣＯＤ、有機塩素化合物、ダイオキシン類、環境ホルモン類、発ガン性物質などを紫外線（ＵＶ）により分解する方法、または液体もしくは気体をＵＶにより殺菌・消毒する方法において用いられる紫外線照射方法及び装置に関するものである。
【手続補正４】
【補正対象書類名】明細書
【補正対象項目名】０００６
【補正方法】変更
【補正の内容】
【０００６】
【課題を解決するための手段】
本発明は、次の手段により上記の課題を解決することができた。
（１）紫外線光源の周囲にらせん状水路を設け、該らせん状水路における隣接する水路相互の間に空間を設け、らせん状水路を包囲する反射板を設けた紫外線照射装置に原水を通すことを特徴とする紫外線照射方法。
（２）該紫外線照射装置の反射板がアルミニウム製又はアルミニウム合金製であることを特徴とする前記（１）記載の紫外線照射方法。
（３）該紫外線照射装置のらせん状水路における隣接する水路相互の間の空間に窒素ガスを満たすことを特徴とする前記（１）又は（２）記載の紫外線照射方法。
（４）原水がダイオキシン類含有排水であることを特徴とする前記（１）〜（３）のいずれか１項記載の紫外線照射方法。
（５）紫外線光源の周囲にらせん状水路を設けた紫外線照射装置において、らせん状水路における隣接する水路相互の間に空間を設け、らせん状水路を包囲する反射板を設けることを特徴とする紫外線照射装置。
（６）反射板がアルミニウム製又はアルミニウム合金製であることを特徴とする前記（５）記載の紫外線照射装置。
（７）らせん状水路における隣接する水路相互の間の空間に窒素ガスを満たすことを特徴とする前記（５）又は（６）記載の紫外線照射装置。
（８）らせん状水路にダイオキシン類含有排水を通すことを特徴とする前記（５）〜（７）のいずれか１項記載の紫外線照射装置。
【手続補正書】
【提出日】平成16年7月12日(2004.7.12)
【手続補正１】
【補正対象書類名】明細書
【補正対象項目名】特許請求の範囲
【補正方法】変更
【補正の内容】
【特許請求の範囲】
【請求項１】
白色腐朽菌を培養基で培養して得た培養物から当該微生物を除いた生産物を含むことを特徴とする、ダイオキシンなどの難分解性有機物の分解用組成物。
【請求項２】
白色腐朽菌が、カワラタケ科スポンギぺリス属に属する微生物である請求項１記載の組成物。
【請求項３】
カワラタケ科スポンギぺリス属に属する微生物が、ＭＴ００３株（ＦＥＲＭ  Ｐ−１８１７１）である請求項２記載の組成物。
【請求項４】
請求項１〜３のいずれかに記載の組成物を、ダイオキシン類などの難分解性有機物に汚染された汚染物に作用させることを特徴とするダイオキシン類などの難分解性有機物の分解方法。
【請求項５】
汚染物が、焼却灰、焼却飛灰、土壌または建造物であることを特徴とする請求項４記載の分解方法。
【請求項６】
焼却灰及び／または焼却飛灰が、ｐＨ１０以上の高アルカリ性のものである請求項５記載の分解方法。
【請求項７】
白色腐朽菌を培養基で培養して得た培養物から当該微生物を除き、滅菌して得た濾液を含む組成物を、ダイオキシン類などの難分解性有機物に汚染された汚染物に作用させた後、オートクレーブで酵素の失活処理をすることを特徴とするダイオキシン類などの難分解性有機物の分解方法。
【請求項８】
滅菌して得た濾液を含む組成物を、ダイオキシン類などの難分解性有機物に汚染された汚染物に１日作用させる請求項７記載の分解方法。
【手続補正２】
【補正対象書類名】明細書
【補正対象項目名】００１４
【補正方法】変更
【補正の内容】
【００１４】
【課題を解決するための手段】
請求項１記載の本発明は、白色腐朽菌を培養基で培養して得た培養物から当該微生物を除いた生産物を含むことを特徴とする、ダイオキシンなど難分解性有機物の分解用組成物である。
請求項２記載の本発明は、白色腐朽菌が、カワラタケ科スポンギぺリス属に属する微生物である請求項１記載の組成物である。
請求項３記載の本発明は、カワラタケ科スポンギぺリス属に属する微生物が、ＭＴ００３株（ＦＥＲＭ  Ｐ−１８１７１）である請求項２記載の組成物である。
請求項４記載の本発明は、請求項１〜３のいずれかに記載の組成物を、ダイオキシン類などの難分解性有機物に汚染された汚染物に作用させることを特徴とするダイオキシン類などの難分解性有機物の分解方法である。
請求項５記載の本発明は、汚染物が、焼却灰、焼却飛灰、土壌または建造物であることを特徴とする請求項４記載の分解方法である。
請求項６記載の本発明は、焼却灰及び／または焼却飛灰が、ｐＨ１０以上の高アルカリ性のものである請求項５記載の分解方法である。
請求項７記載の本発明は、白色腐朽菌を培養基で培養して得た培養物から当該微生物を除き、滅菌して得た濾液を含む組成物を、ダイオキシン類などの難分解性有機物に汚染された汚染物に作用させた後、オートクレーブで酵素の失活処理をすることを特徴とするダイオキシン類などの難分解性有機物の分解方法である。
請求項８記載の本発明は、滅菌して得た濾液を含む組成物を、ダイオキシン類などの難分解性有機物に汚染された汚染物に１日作用させる請求項７記載の分解方法である。
【手続補正３】
【補正対象書類名】明細書
【補正対象項目名】００２７
【補正方法】変更
【補正の内容】
【００２７】
次に、ダイオキシン類汚染物とは、上記したダイオキシン類によって汚染されている灰、土壌、建造物（例えば、解体される焼却炉など）等を指し、具体的には、ごみ焼却炉等から排出される焼却灰や焼却飛灰、農薬等の製造工程、金属精錬の燃焼行程や紙の塩素漂白工程等からの排出物、さらには、ｐＨ１０以上、特に１２〜１３という高アルカリ性のものが存在する。
このような焼却灰等そのものに、微生物の産出物、例えば酵素を含む組成物を直接作用させてダイオキシン類を処理する方法は、これまで報告がないが、本発明によれば、係る焼却灰等を当該組成物で処理することによってダイオキシン類を分解除去することができる。
【手続補正４】
【補正対象書類名】明細書
【補正対象項目名】００４６
【補正方法】変更
【補正の内容】
【００４６】
ガスクロマトグラフィーにおいては、四塩素置換体（ＴｅＣＤＤ及びＴｅＣＤＦ）、五塩素置換体（ＰｅＣＤＤ及びＰｅＣＤＦ）及び六塩素置換体（ＨｘＣＤＤ及びＨｘＣＤＦ）の分析には分離条件Ａ、七塩素置換体（ＨｐＣＤＤ及びＨｐＣＤＦ）及び八塩素置換体（ＯｃＣＤＤ及びＯｃＣＤＦ）の分析には分離条件Ｂを適用して分析を行った。
得られた分析値より、試料中に含まれるダイオキシンのうち、全ての四塩素置換体、五塩素置換体、六塩素置換体、七塩素置換体及び八塩素置換体濃度を、前記のマニュアルに従って算出した。
【手続補正書】
【提出日】平成16年6月10日(2004.6.10)
【手続補正１】
【補正対象書類名】明細書
【補正対象項目名】０００３
【補正方法】変更
【補正の内容】
【０００３】
これらの油溶性成分を利用する従来技術としては、例えばクロレラ等の単細胞藻類からのβ‐カロチンの抽出液を油脂類に溶解させて、食品、医薬品、化粧品に利用するもの（特開平１−４３１６７号）や、海藻よりエタノールなどの含水有機溶剤で高温下水溶性、油溶性成分を抽出し、化粧料に用いる方法（特開昭６２−２８６９０７号）等が提案されている。また、海藻類のエイコサペンタエン酸含有成分を利用する従来技術としては、クロレラなど微細藻類より有機溶媒で抽出し、シリカゲルで分画する方法（特公平５−８６７９６号）、紅藻類フダラクから有機溶媒で抽出後、超臨界二酸化炭素で処理する方法（特公平７−６５０６６号）などの抽出方法が提案されている。しかし、油溶性成分の抽出として、β‐カロチン、ルテインなど、あるいはこれらにさらにエイコサペンタエン酸含有成分など複数の抗酸化油溶性成分が同時に効率的に抽出された例はない。
【手続補正２】
【補正対象書類名】明細書
【補正対象項目名】０００６
【補正方法】変更
【補正の内容】
【０００６】
【課題を解決するための手段】
本発明者らは、海藻類に含まれるβ‐カロチン、ルテインなどの酸化されやすい油溶性成分を効率よく、かつ健康食品や皮膚化粧品として適するような安全性のあるものとして抽出する方法について鋭意研究した結果、海藻類の細片又は粉末に油脂、ロウ類または炭化水素を加えて湿潤状態で磨砕しながら抽出することにより、上記目的を達成できることが分かり、本発明に到達した。
【手続補正書】
【提出日】平成16年4月7日(2004.4.7)
【手続補正１】
【補正対象書類名】明細書
【補正対象項目名】０１０９
【補正方法】変更
【補正の内容】
【０１０９】
はしかＨＡ遺伝子による以前の構成物を確認する際に、コドン１８（ＣＣＣ）の配列を公表された配列と比較して削除した（アルハティブら、1986）。そのＣＣＣ配列を、オリゴヌクレオチドＲＷ１１７（配列番号９１）
【化１３】
2004089185.tif 000001
を用いたクンケル法（クンケル、1985）によりオリゴヌクレオチド変異体により置き換えた。１本鎖テンプレートを、ｐＩＢＩ２５中のｐＲＷ８０３からのＨ６／ＨＡカセットを含有するプラスミドｐＲＷ８１９から誘導した（インターナショナルバイオテクノロジー社、ニューハブン、ＣＴ）。コドン１８でのプロリン残基にコードする挿入された（ＣＣＣ）を含有する変異誘発プラスミドはｐＲＷ８２０を示した。ｐＲＷ８２０のＨｉｎｄＩＩＩ部位とＸｂａＩ部位との間の配列は、ヌクレオチド配列分析により確認された。ＨｉｎｄＩＩＩ部位はＨ６プロモーターの５′縁にあり、一方ＸｂａＩ部位はＨＡ遺伝子の開始コドンから下流の２３０ｂｐに位置する。ＸｂａＩ（上記）からの下流のＨＡコード配列を含み、終止コドンを含む、ｐＲＷ８０３からの１．６ｋｂｐＸｂａＩ／ＥｃｏＲＩ断片を用いて、ｐＲＷ８２０の等量の断片と置き換え、ｐＲＷ８３７を産生した。ｐＲＷ８３７内に含まれた変異誘発発現カセットは、ＨｉｎｄＩＩＩおよびＥｃｏＲＩによる切断により誘導され、２ｍＭ  ｄＮＴＰの存在下でＥ．ｃｏｌｉ  ＤＮＡポリメラーゼのクレノー断片を用いて鈍端とされ、ｐＳＤ５１３のＳｍａＩ部位に挿入されてｐＲＷ８４３を産生した。プラスミドｐＳＤ５１３は、ポリリンカー配列の添加によりプラスミドｐＳＤ４６０から誘導された。プラスミドｐＳＤ４６０は、ワクシニアウイルスからのチミジンキナーゼ遺伝子の削除を可能にするように誘導された（図１１）。


【手続補正２】
【補正対象書類名】明細書
【補正対象項目名】０１１０
【補正方法】変更
【補正の内容】
【０１１０】
はしかウイルスＦ遺伝子をＨＡ挿入プラスミド中に挿入するために、ｐＳＰＨＭＦ上に手枝を施した。プラスミドｐＳＰＨＭＦ７（タイラーら、1991）は、前述したワクシニアウイルスＨ６プロモーターに３′で近位のはしかＦ遺伝子を含有する。ＡＴＧ配置のための完全なＡＴＧを達成し、プロモーターの３′端とはしかＦ遺伝子との間の介在配列を除去するために、オリゴヌクレオチドＳＰＭＡＤ（配列番号９２）
【化１４】
2004089185.tif 000002
を用いてオリゴヌクレオチド定方向突然変異を行なった。産生したプラスミドはｐＳＰＭＦ７５Ｍ２０と称した。


【手続補正３】
【補正対象書類名】明細書
【補正対象項目名】０１９０
【補正方法】変更
【補正の内容】
【０１９０】
ｐＣ５Ｌを、ポリリンカー内のＡｓｐ７１８およびＮｏｔＩで切断し、アルカリ性ホスファターゼで処理し、キナーゼ化しアニールしたオリゴヌクレオチドＣＰ２６（配列番号７１）およびＣＰ２７（配列番号７２）（不能Ａａｐ７１８部位、６つの読取り枠中の翻訳停止コドン、ワクシニア早期転写終止シグナル（ユエンおよびモス、1987）、ＢａｍＨＩ  ＫｐｎＩ  ＸｈｏＩ  ＸｂａＩ  ＣｌａＩおよびＳｍａＩ制限部位、ワクシニア早期転写終止シグナル、６つの読取り枠中の翻訳停止コドン、および不能ＮｏｔＩ部位を含有する）と連結し、プラスミドＣ５ＬＳＰを産生した。早期／晩期Ｈ６ワクシニアウイルスプロモーター（グオら、1989；パーカスら、1989）は、テンプレートとしてのｐＲＷ８２４およびオリゴヌクレオチドＣＰ３０（配列番号７３）（５′−ＴＣＧＧＧＡＴＣＣＧＧＧＴＴＡＡＴＴＡＡＴＴＡＧＴＣＡＴＣＡＧＧＣＡＧＧＧＣＧ−３′）とＣＰ３１（配列番号７４）（５′−ＴＡＧＣＴＣＧＡＧＧＧＴＡＣＣＴＡＣＧＡＴＡＣＡＡＡＣＴＴＡＡＣＧＧＡＴＡＴＣＧ−３′）を用いたＰＣＲ増幅（エンゲルケら、1988）により誘導した。ＰＣＲ産生物を、ＢａｍＨＩおよびＸｈｏＩ（それぞれＣＰ３０（配列番号７５）およびＣＰ３１（配列番号７４）の５′末端に存在する部位）で切断し、ＢａｍＨＩ−ＸｈｏＩで切断したＣ５ＬＳＰと連結させ、ＶＱＨ６Ｃ５ＬＳＰを産生した。ＣＰ２６（配列番号７１）およびＣＰ２７（配列番号７２）を以下に示す：
【化２４】
2004089185.tif 000003
プラスミドＪＥＶ３６をＨ６プロモーター内のＥｃｏＲＶおよびＪＥＶ配列内のＳｐｈＩ（ヌクレオチド２３８０）で切断し、２０６５ｂｐ断片を単離した。プラスミドＶＱＨ６Ｃ５ＬＳＰをＨ６プロモーター内のＥｃｏＲＶおよびポリリンカー内のＸｂａＩで切断し、２０６５ｂｐ断片およびアニールしたオリゴヌクレオチドＳＰ１３１（配列番号７５）およびＳＰ１３２（配列番号７６）（ＳｐｈＩ粘着末端、Ｅコード領域を完了するＴヌクレオチド、翻訳停止、ワクシニア早期転写終止シグナル（ＡＴ５ＡＴ；ヤエンおよびモス、1987）、第２の翻訳停止、およびＸｂａＩ粘着末端）に連結し、Ｃ５側アームの間のＨ６プロモーターの制御下で１５アミノ酸Ｃ、ｐｒＭおよびＥをコードするプラスミドＪＥＶＣＰ５を産生した。ＪＥＶＣＰ５はＡＬＶＡＣまたはＡＬＶＡＣ組換え体感染細胞中にトランスフェクションしてＪＥＶ１５ａａＣ、ｐｒＭおよびＥをコードする組換え体を産生できる：
【化２５】
2004089185.tif 000004
【手続補正４】
【補正対象書類名】明細書
【補正対象項目名】０１９５
【補正方法】変更
【補正の内容】
【０１９５】
早期／晩期Ｈ６ワクシニアウイルスプロモーター（グオら、1989；パーカスら、1989）は、テンプレートとしてのｐＲＷ８３８およびオリゴヌクレオチドＣＰ２１（配列番号８８）（５′−ＴＣＧＧＧＡＴＣＣＧＧＧＴＴＡＡＴＴＡＡＴＴＡＧＴＴＡＴＴＡＧＡＣＡＡＧＧＴＧ−３′）とＣＰ２２（配列番号８９）（５′−ＴＡＧＧＡＡＴＴＣＣＴＣＧＡＧＴＡＣＧＡＴＡＣＡＡＡＣＴＴＡＡＧＣＧＧＡＴＡＴＣＧ−３′）を用いたＰＣＲ（エンゲルケら、1988）により誘導した。ＰＣＲ産生物をＢａｍＨＩおよびＥｃｏＲＩ（それぞれオリゴヌクレオチドＣＰ２１およびＣｐ２２の５′末端に存在する部位）で切断し、ポリリンカー内のＢａｍＨＩおよびＥｃｏＲＩで切断されたＣＰ３Ｌに連結し、プラスミドＶＱＨ６ＣＰ３Ｌを産生した：
【化２６】
2004089185.tif 000005
ＡＬＶＡＣ供与体プラスミドＶＱＨ６ＣＰ３Ｌをポリリンカー内のＸｈｏＩおよびＳｍａＩで切断し、ＹＦ５１（ＹＦアミノ酸Ｃ、ｐｒＭ、Ｅ、ＮＳ１、ＮＳ２Ａをコードするヌクレオチド４１９−４１８０）からの３７７２ｂｐ  ＸｈｏＩ−ＳｍａＩ断片と連結し、ＹＦ５２を産生した。ＵＰ５２中の独特のＸｈｏＩ部位に対応する６ｂｐを、オリゴヌクレオチド定方向二本鎖開裂突然変異（マンデッキ、1986）を用いて除去し、ＹＦＣＰ３を産生した。ＹＦＣＰ３をＡＬＶＡＣ感染初代ＣＥＦ細胞中にトランスフェクションし、２１ａａＣ、ｐｒＭ、Ｅ、ＮＳ１、ＮＳ２Ａをコードするカナリアポックス組換え体ｖＣＰ１２７を産生した（図１９）。
【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】
大型魚体を頭部が上方になるように吊し具にてレールから吊すことにより該大型魚体がレール下を移動可能とし、該大型魚体の尾側は切除してその切断面の様子を表示画面で表示するようにすることを特徴とする、魚類競り場における魚体の荷扱い方法。
【請求項２】
大型魚体を頭部が上方になるように魚体の頭部に吊し具をかけてレールから吊すことにより該大型魚体がレール下を手動及び／または自動で移動可能とすることを特徴とする、魚類競り場における魚体の荷扱い方法。
【請求項３】
大型魚体を頭部が上方になるように魚体の頭部に吊し具をかけてレールから吊すことにより該大型魚体がレール下を移動可能とし、該大型魚体の尾側は切除してその切断面の様子がわかるようにすることを特徴とする、魚類競り場における魚体の荷扱い方法。
【請求項４】
尾側を切除した大型魚体を頭部が上方になるように吊し具にてレールから吊すことにより該大型魚体がレール下を移動可能とし、該大型魚体が移動する通路を空冷し、下見場及び競り場においては当該移動魚体を空冷環境保持しつつ応札者または下見者から観察可能となるように当該通路と応札者または下見者との間を透明板で仕切ることを特徴とする、魚類競り場における魚体の荷扱い方法。
【請求項５】
請求項１乃至４のいずれかにおいて、当該魚体の尾側切断面を撮影し、映像取込装置を介して、当該魚体の他の情報と共に該画像情報を競り場で画面表示させることを特徴とする、魚類競り場における魚体の荷扱い方法。
【請求項６】
大型魚体を頭部が上方になるように吊し具にて吊し、該大型魚体の尾は切除してその切断面の様子を表示画面で表示するようにすることを特徴とする、魚類競り場における魚体の荷扱い方法。
【請求項７】
請求項１乃至５のいずれかにおいて、取引後の前記魚体の一時保管場所への移動、及び／または仲卸店舗への搬送を前記レールに続くレールに沿って行うことを特徴とする、魚類競り場における魚体の荷扱い方法。
【請求項８】
大型魚体を吊した吊し具が吊された状態で移動するレールと、このレール及び吊し具を内蔵した空調室と、該空調室とは該空調室の壁の一部を構成する透明板を介して仕切られた下見場及び競り場とを備え、前記競り場には画像表示板を設置して、該画像表示板には前記透明板を隔てて通過しつつある競り対象魚体の文字情報に当該魚体の尾側切断面の画像を合せて表示することを特徴とする、魚類競り場における魚体の荷扱いシステム。
【請求項９】
請求項８において、前記吊し具は高さ方向に位置調整可能なものとし、吊下げ魚体の高さ位置を調節する機能を備えたものであることを特徴とする、魚類競り場における魚体の荷扱いシステム。
【請求項１０】
請求項１乃至４のいずれかにおいて、前記大型魚体若しくはその吊り下げ具にＩＣタグを付して特定し、当該魚体ごとにパーソナルコンピュータから入力された産地，重量の魚体情報を画面表示すると共に搬送し、該搬送は、ＬＡＮ経由で引取指示装置の引取指示に基づいて前記吊り下げ具の懸かるトロリーを自走又は遠隔操作により移動させることを特徴とする、魚類競り場における魚体の荷扱い方法。
【請求項１１】
請求項１０において、前記画面表示は産地，重量の前記魚体情報の後段下見場，競り場での画面表示であることを特徴とする、魚類競り場における魚体の荷扱い方法。
【請求項１２】
大型魚体若しくはその吊り下げ具にＩＣタグを付して特定し、当該魚体ごとにパーソナルコンピュータから入力された産地，重量の魚体情報を画面表示すると共に搬送し、該搬送は、ＬＡＮ経由で引取指示装置の引取指示に基づいて前記吊り下げ具の懸かるトロリーを自走又は遠隔操作により移動させることを特徴とする、魚体の荷扱い方法。
【請求項１３】
請求項１２において、前記画面表示は産地，重量の前記魚体情報の後段下見場，競り場での画面表示であることを特徴とする、魚体の荷扱い方法。
【手続補正書】
【提出日】平成16年3月17日(2004.3.17)
【手続補正２】
【補正対象項目名】手続補正１
【補正方法】変更
【補正の内容】
【手続補正１】
【補正対象書類名】明細書
【補正対象項目名】０００８
【補正方法】変更
【補正の内容】
【０００８】
図２は、炊き込み御飯製品の調理工程を示すもので、炊飯器具１の内部２に上述した米３と炊飯用昆布だし汁６・塩７柑橘類の果肉入り果汁８を入れ、炊飯器具１の釜蓋１０を閉蓋して炊飯１１し、これを蒸らし１２させ、炊飯器具１の釜蓋１０を開蓋し、さらに、炊飯、蒸らしを終えた炊飯器具内部２の炊き上がった御飯１３の上に柑橘類の果皮９を散らし、しゃもじ等により炊き上がった御飯１３と柑橘類の果皮９を掻き雑ぜ１４して、炊き込み御飯製品１５を得るようにする。炊飯時における米３と、炊飯用昆布だし汁６の割合は、洗米する前の米１に対して、炊飯用昆布だし汁１．３の割合が好ましい。また、炊飯時における米３と、柑橘類の果肉入り果汁８の割合は、その時の果実の糖度によって異なる。なお、柑橘類の果肉入り果汁８の果肉と果汁の割合も、その時の果実の糖度によって異なる。
【手続補正３】
【補正対象項目名】手続補正２
【補正方法】変更
【補正の内容】
【手続補正２】
【補正対象書類名】明細書
【補正対象項目名】００１０
【補正方法】変更
【補正の内容】
【００１０】
また、本発明に係る炊き込み御飯製品１５は、米飯に諸種の栄養価があり、柑橘類と昆布は共にアルカリ性食品である。また、柑橘類は、クエン酸やビタミンＣを含有し、さらに柑橘類の果皮は精油を含み芳香効果がある。すなわち、食欲増進、血行促進、疲労回復などの効果があり、美容食・健康食としても好適である。柑橘類としては、たとえば静岡産ニューサマーオレンジ・甘夏・温州みかんなどが用いられる。
【手続補正書】
【提出日】平成16年11月16日(2004.11.16)
【手続補正１】
【補正対象書類名】特許請求の範囲
【補正対象項目名】全文
【補正方法】変更
【補正の内容】
【特許請求の範囲】
【請求項１】
液化環境又は生物試料中の標的微生物の有無の検出を可能にする標的微生物特異的培地であって、
ａ）１００ｍｌ当たり１０個未満の標的微生物を含む試料で１８時間以内に試料中の検出可能な変化を観察できるような速度で前記標的微生物の生存及び生殖を可能にするように作用し得る０．０００９ｇ〜０．００３６ｇ／リットルのビタミン、６．３ｇ〜２２．３ｇ／リットルのアミノ酸および窒素、０．０００００８ｇ〜０．００００１７ｇ／リットルの元素及び０．０７５〜０．１５ｇ／リットルの酵素インデューサーと、
（ｂ）標的微生物の増殖中に培地中に検出可能な特性シグナルを発生するために十分な量で提供され、標的微生物により代謝されると試料の検出可能な特性を変化させ、試料中の標的微生物の有無を確認できるように作用し得る有効量の１種以上の栄養指標を含む前記標的微生物特異的培地。
【請求項２】
前記栄養指標が前記標的微生物特異的培地を変色させる請求項１に記載の標的微生物特異的培地。
【請求項３】
前記栄養指標が可視波長域で前記標的微生物特異的培地を変色させる請求項２に記載の標的微生物特異的培地。
【請求項４】
前記栄養指標が励起光源に暴露後に蛍光発光することが可能であり、可視波長域で検出可能な部分を含む請求項２に記載の標的微生物特異的培地。
【請求項５】
前記標的微生物が大腸菌群である請求項１に記載の標的微生物特異的培地。
【請求項６】
前記大腸菌群が大腸菌(E.coli)である請求項５に記載の標的微生物特異的培地。
【請求項７】
前記栄養指標がβ−Ｄ−グルクロニダーゼ基質である請求項１に記載の標的微生物特異的培地。
【請求項８】
前記β−Ｄ−グルクロニダーゼ基質がオルトニトロフェニル−β−Ｄ−グルクロニド、β−ナフタルアミド−β−Ｄ−グルクロニド、α−ナフトール−β−Ｄ−グルクロニド及び４−メチルウンベリフェリル−β−Ｄ−グルクロニドから構成される群から選択される請求項７に記載の標的微生物特異的培地。
【請求項９】
前記栄養指標がβ−Ｄ−ガラクトシダーゼ基質である請求項１に記載の標的微生物特異的培地。
【請求項１０】
前記β−Ｄ−ガラクトシダーゼ基質がオルトニトロフェニル−β−Ｄ−ガラクトピラノシド及び４−メチルウンベリフェリル−β−Ｄ−ガラクトピラノシドから構成される群から選択される請求項９に記載の標的微生物特異的培地。
【請求項１１】
前記栄養指標がβ−グルコシダーゼ基質である請求項１に記載の標的微生物特異的培地。
【請求項１２】
前記栄養指標がＬ−ピロニドニルアミノペプチダーゼ基質である請求項１に記載の標的微生物特異的培地。
【請求項１３】
前記栄養指標がＬ−アラニンアミノペプチダーゼ基質である請求項１に記載の標的微生物特異的培地。
【請求項１４】
非標的微生物が前記栄養指標を代謝するのを阻止する抗生物質を更に含む請求項１に記載の標的微生物特異的培地。
【請求項１５】
前記抗生物質がグラム陽性微生物又は非標的グラム陰性微生物に作用する請求項１４に記載の標的微生物特異的培地。
【請求項１６】
前記標的微生物特異的培地が非滅菌水溶性粉末を含む請求項１に記載の標的微生物特異的培地。
【請求項１７】
代謝損傷細胞の回収を助けるために十分な量のピルビン酸ナトリウムを更に含む請求項１に記載の標的微生物特異的培地。
【請求項１８】
１８時間以内に環境又は生物液体試料中の標的微生物の有無を検出する方法であって、
ａ）請求項１〜１７に記載の標的微生物特異的培地と前記液体試料を混合する段階と、
ｂ）前記液体試料と培地の混合物を３０〜４１℃のインキュベーション温度まで加温し、前記液体試料を１０分又はそれ以上の間インキュベーション温度を維持する段階と、
ｃ）試料をモニターし、前記検出可能な特性が変化したか否かを判定する段階を含む前記方法。
【請求項１９】
前記培地が１種以上の潜在的非標的微生物の増殖を阻害する有効量の少なくとも１種の抗生物質を更に含む請求項１８に記載の方法。
【請求項２０】
環境又は生物液体試料中の標的微生物の有無の検出方法であって、請求項１〜１７のいずれかに記載の標的微生物特異的培地と前記環境又は生物液体試料とを混合して液体混合物を形成し、この混合物を、前記環境又は生物液体試料が１００ｍｌ当たり１０個の標的微生物未満であるとき、１８時間以内に前記標的微生物の検出を可能にするのに十分な温度でインキュベートすることを含む環境又は生物液体試料中の標的微生物の有無の検出方法。
【手続補正書】
【提出日】平成16年10月26日(2004.10.26)
【手続補正１】
【補正対象書類名】明細書
【補正対象項目名】０００６
【補正方法】変更
【補正の内容】
【０００６】
【発明が解決しようとする課題】
従って本発明は、より使用しやすい点眼剤容器を、コストを上げることなく製造するための技術の提供をその課題とするものである。
【手続補正書】
【提出日】平成17年2月4日(2005.2.4)
【手続補正１】
【補正対象書類名】明細書
【補正対象項目名】全文
【補正方法】変更
【補正の内容】
【書類名】            明細書
【発明の名称】        生活習慣病折れ線グラフと生活習慣病チェックリスト
【特許請求の範囲】
【請求項１】
血液分析数値から生活習慣病に関連する数項目の分析数値を選別して折れ線グラフをつくり、そのグラフ上にそれぞれの検査項目の基準値の最高値Ｈと量低値Ｌの折れ線グラフを書き、被験者Ａの血液分析数値の該当項目の数値を使って同じグラフ上で３つの生活習慣病折れ線グラフを検討する。  この３つの折れ線グラフを併せて生活習慣病折れ線グラフとする。
【請求項２】
生活習慣病チェックリストとする。
被験者は血液検査ごとに、担当医から分析数字を聞いて記入して２〜３ヶ月前の体調とも比較できる資料リストをつくる。生活習慣病折れ線グラフと比較しながら、各分析項目の下部に記入されている判定病名を検討することで、日常の食習慣や運動の大切なことに気づかされる。
【発明の詳細な説明】
【０００１】
【発明の属する技術分野】
この発明は、血液検査の分析数値を担当医のパソコンで保管するのみでなく、被験者サイドからも自分の健康向上のために利用する方法を提供しようとするものである。
【０００２】
【従来の技術】
血液検査は定期的に行われて診察資料として役立っているが、その検査数値は普通担当医のパソコン内に保管されているだけである。
【０００３】
【発明が解決しようとする課題】
本発明はこの検査項目の数値を被験者サイドでも利用し、本気で自分の健康に関心を持ち、生活習慣を改善する方法に結び付けることができないかと何年も研究してきた。
【０００４】
【課題を解決するための手段】
その結果、血液検査項目の分折数値から、被験者Ａの生活習慣病に関連する数項目の数値を抜粋して折れ線グラフをつくり、その同じグラフ上に、それぞれの検査項目の基準値の最高値Ｈと最低値Ｌの折れ線グラフを書き入れて、自分自身の生活習慣病折れ線グラフの数値と比較することで、Ａは自分の目で自分の血液が汚れてきたとか、どの数値が高くなったとかいつでも知ることができます。食習慣の反省材料にして、生活に運動も取り入れて欲しいです。
【０００５】
【実施例・実施形態】
２・３年前から早朝の３キロ速歩をはじめたが、そのとき知り合った２〜３０人のお年寄り達に、とても喜ばれています。
【０００６】
【発明の効果】
検査数値がすごく改善されました。
血液検査結果を自分の目で確認できるので、日々の生活に決まりができたと好評です。
医療費の節約に多大な貢献ができるのではと期待しています。
【表１】は病院検査が必要な状況。
【表１】
2004089654.tif 000001
【図面の簡単な説明】
【図１】  は男性用の生活習慣病の判定に用いる図である。
【図２】  は男性用の生活習慣病の判定に用いる図である。
【図３】  は女性用の生活習慣病の判定に用いる図である。
【図４】は女性用の生活習慣病の判定に用いる図である。
【符号の説明】
１．総コレステ：    総コレステロールのことである。
２．ＴＧ：        中性脂肪のことである。
３．ＧＯＴとＧＰＴ：    体のさまざまな臓器の細胞の中にある酵素で、体の重要な構成要素であるアミノ酸をつくる酵素である。
４．空腹時血糖：    ＢＳともいわれ糖尿病診断に使われる。血液中のブドウ糖をいう。
５．ＨＤＬコレステロール：善玉コレステロールともいわれ動脈硬化を防ぐ。
６．ＴＰ：        血清総蛋白のことである。
７．Ａ／Ｇ：      アルブミン／グロブリン比
８．ＨｂＡＩｃ：  ヘモグロビンＡＩｃ


【手続補正２】
【補正対象書類名】図面
【補正対象項目名】全図
【補正方法】変更
【補正の内容】
【図１】
2004089654.tif 000002
【図２】
2004089654.tif 000003
【図３】
2004089654.tif 000004
【図４】
2004089654.tif 000005
【手続補正書】
【提出日】平成17年8月29日(2005.8.29)
【手続補正１】
【補正対象書類名】明細書
【補正対象項目名】特許請求の範囲
【補正方法】変更
【補正の内容】
【特許請求の範囲】
【請求項１】  遊技盤に対して相対的に開閉可能に設けられ、透明な窓板を有する窓枠と、
前記窓枠に前記窓板の前方に位置して設けられ、前記窓板と協同して音響空間を形成する透明な振動板と、
前記音響空間内の空気を通して前記振動板に圧力を加えることに基づいて前記振動板を振動させて音波を放出するドライバと
を備えたことを特徴とする遊技機。
【手続補正２】
【補正対象書類名】明細書
【補正対象項目名】０００５
【補正方法】変更
【補正の内容】
【０００５】
その他発明１は、窓枠の開閉に対して相対的に静止する静止側にドライバを設けるところに特徴を有する。
その他発明１によれば、ドライバの配線が窓枠の開閉に伴って移動することがなくなる。このため、窓枠の開閉に伴ってドライバの配線に応力が作用することがなくなるので、ドライバの断線が防止される。しかも、ドライバを窓枠の後面側に固定し、窓枠の閉鎖状態で窓枠および遊技盤間の幅狭な隙間内に収納する必要がなくなる。このため、特にドライバの大きさに対する制約が緩和されるので、大形のドライバを用いて大音量で音を放出できる。
【手続補正３】
【補正対象書類名】明細書
【補正対象項目名】０００６
【補正方法】変更
【補正の内容】
【０００６】
その他発明２は、窓枠の開放および閉鎖に応じて音響空間を開放および密閉するシール部材を設けたところに特徴を有する。
その他発明２によれば、窓枠を開放して障害釘に引掛かったパチンコ球を除去する場合には音響空間が開放され、音の放出が停止する。このため、作業者の耳元で音の放出が行われることがなくなるので、作業者がパチンコ球の除去作業を行い易くなる。
その他発明３は、枠鍵による窓枠のロック力でシール部材を弾性変形させることに基づいて音響空間を密閉状態に保持するところに特徴を有する。
その他発明３によれば、遊技者が窓枠を殴打したときの振動でシール部材がずれ動くことが抑えられるので、音響空間の密閉度が殴打時の振動で緩み、音の放出が瞬間的に停止してしまうことが防止される。
【手続補正４】
【補正対象書類名】明細書
【補正対象項目名】０００７
【補正方法】変更
【補正の内容】
【０００７】
その他発明４は、シール部材を遊技領域の外部に配置したところに特徴を有する。この遊技領域とは遊技盤に設けられるものであり、上皿内から遊技盤内の上部に放出されたパチンコ球が動き得る領域を称する。
その他発明４によれば、遊技領域の有効面積がシール部材の影響で小さくなることがなくなる。このため、パチンコ球の挙動の自由度がシール部材の存在に拘らず確保されるので、パチンコ球の挙動を目で追う楽しさがシール部材の影響で低下することが防止される。
【手続補正５】
【補正対象書類名】明細書
【補正対象項目名】０００８
【補正方法】変更
【補正の内容】
【０００８】
【発明の実施の形態】
本発明の実施例１〜３を説明する。これら実施例１〜３の中には特許請求の範囲に記載された発明に加えて下記（１）〜（４）の発明が記載されている。
（１）ドライバは、窓枠の開閉に対して相対的に静止する静止側に設けられていることを特徴とする遊技機。
（２）窓枠側および静止側の少なくとも一方には、窓枠の開放および閉鎖に応じて音響空間を開放および密閉するシール部材が設けられていることを特徴とする遊技機。
（３）窓枠を閉鎖状態にロックする枠鍵を備え、
シール部材は、枠鍵のロック力で弾性変形した状態に保持されることに基づいて音響空間を密閉する弾性部材から構成されていることを特徴とする遊技機。
（４）シール部材は、窓枠の閉鎖状態で遊技領域の外部に配置されることを特徴とする遊技機。
以下、本発明の第１実施例を図１〜図９に基づいて説明する。パチンコホールの台島には、図７に示すように、外枠１が設置されている。この外枠１は前後面が開口する四角筒状をなすものであり、外枠１の前面には、図６の（ｂ）に示すように、前面扉２が左側辺部の垂直な軸（図示せず）を中心に回動可能に装着されている。この前面扉２は外枠１の前面開口部を開閉する矩形枠状をなすものであり、前面扉２の下端部には、図６の（ａ）に示すように、横長な長方形状の下皿板３が固定され、下皿板３の前面には上面が開口する容器状の下皿４が固定されている。
【手続補正書】
【提出日】平成17年9月2日(2005.9.2)
【手続補正１】
【補正対象書類名】明細書
【補正対象項目名】特許請求の範囲
【補正方法】変更
【補正の内容】
【特許請求の範囲】
【請求項１】
皮膚表面の、外力による圧縮に対する応力変化の特性を指標とすることを特徴とする、真皮コラーゲン線維束の乱れの鑑別法。
【請求項２】
皮膚表面を圧縮及び緩和し、圧縮終了時の最大応力から緩和終了時に於ける応力までの応力変化のパターンを、前記応力変化の特性とすることを特徴とする、請求項１に記載の真皮コラーゲン線維束の乱れの鑑別法。
【請求項３】
前記応力変化を指数関数に当てはめ、該指数関数の特性を前記応力変化の特性とすることを特徴とする、請求項１又は２に記載の真皮コラーゲン線維束の乱れの鑑別法。
【請求項４】
前記指数関数の特性が応力緩和時間であることを特徴とする請求項３に記載の真皮コラーゲン線維束の乱れの鑑別法。
【請求項５】
圧縮がコラーゲン線維束の方向に沿って行われることを特徴とする、請求項１〜４の何れか１項に記載の真皮コラーゲン線維束の乱れの鑑別法。
【手続補正２】
【補正対象書類名】明細書
【補正対象項目名】０００５
【補正方法】変更
【補正の内容】
【０００５】
【課題の解決手段】
この様な状況に鑑みて、本発明者らは、真皮コラーゲン線維束構造を非侵襲的に、且つ、リアルタイムに鑑別する手段を求めて、鋭意研究努力を重ねた結果、皮膚表面の、外力による圧縮に対する応力変化の特性を指標とすることにより、真皮コラーゲン線維束の乱れが鑑別できることを見出し、発明を完成させるに至った。即ち、本発明は以下に示す技術に関するものである。
（１）皮膚表面の、外力による圧縮に対する応力変化の特性を指標とすることを特徴とする、真皮コラーゲン線維束の乱れの鑑別法。
（２）皮膚表面を圧縮及び緩和し、圧縮終了時の最大応力から緩和終了時に於ける応力までの応力変化のパターンを、前記応力変化の特性とすることを特徴とする、（１）に記載
の真皮コラーゲン線維束の乱れの鑑別法。
（３）前記応力変化を指数関数に当てはめ、該指数関数の特性を前記応力変化の特性とすることを特徴とする、（１）又は（２）に記載の真皮コラーゲン線維束の乱れの鑑別法。（４）前記指数関数の特性が応力緩和時間であることを特徴とする（３）に記載の真皮コラーゲン線維束の乱れの鑑別法。
（５）圧縮がコラーゲン線維束の方向に沿って行われることを特徴とする、（１）〜（４）何れかに記載の真皮コラーゲン線維束の乱れの鑑別法。
以下、本発明について更に詳細に説明を加える。
【手続補正３】
【補正対象書類名】明細書
【補正対象項目名】０００７
【補正方法】変更
【補正の内容】
【０００７】
前記の作業で得られた、応力変化のパターンを比較することにより、真皮コラーゲン線維束の乱れを鑑別することができる。即ち、パターンは圧縮の開始とともに応力は増大し、圧縮が止まったときに最大値となる、圧縮を維持している間にこの応力は徐々に低下し、一定の値に近づく。圧縮を徐々に解放し、元の位置にアームが戻ると、これとともに応力も低下し、元の位置よりいったん落ち込んだ後に、圧縮前の応力位置に回帰する。この様な応力変化パターンは、ゴムなどの弾性体の場合にも普遍的に生ずる現象であり、本発明のパターン解析に於いてはこの様な解析の手技を応用し、適用することができる。例えば、弾性体物理学の世界では、弾性体の弾性の特性が、この様な圧縮、維持、解放工程の、維持工程に於ける応力変化に現れることが知られている。この時の応力変化は、指数関数に当てはめることができ、該指数関数の性質を特定することにより、弾性体の特性を特定できることが知られている。この様な指数関数の性質を特定するパラメータとしては、圧縮終了時の応力から圧縮解放時の応力を差し引き、これをｅ（ｅ＝２．７１８）で除した値の分だけ、圧縮終了時から、圧縮終了時の応力が減ずるのに要する時間、即ち、応力緩和時間τが指標となることが知られている。この値を指標にすることが本発明では特に好ましい。本発明の鑑別法では、かかる応力緩和時間、τが大きければ大きいほど、真皮コラーゲンの線維束構造は乱れていると鑑別される。コラーゲン線維束構造の乱れが大きければ大きいほど、弾性が消失し、それが応力緩和時間に反映されるからである。かかる真皮コラーゲン線維束構造の変化に起因する物性値の変動は極めて微弱であるため、精密な測定が必要とされる。この様な変化を受ける物性値の中で、特に顕著に反映されるのが、前記レジリオメータにおける応力緩和時間である。ここで、かかる測定に於いては、測定方向が重要であり、コラーゲン線維束の方向に沿って圧縮し、計測するのが好ましい。勿論、この様な圧縮終了時から圧縮解放時までの圧縮維持時間における応力変化の特徴付けができる指標であれば、応力緩和時間に限らず、本発明では用いることができる。これは測定装置の感度に依存する部分が大きい。
【手続補正書】
【提出日】平成17年8月25日(2005.8.25)
【手続補正１】
【補正対象書類名】明細書
【補正対象項目名】特許請求の範囲
【補正方法】変更
【補正の内容】
【特許請求の範囲】
【請求項１】  遊技盤に設けられた構造物としての表示器と、
前記表示器の前側に設けられ、音響空間を構成する透明な振動板と、
前記音響空間内の空気を通して前記振動板に圧力を加えることに基づいて前記振動板を振動させて音波を放出するドライバと
を備えたことを特徴とする遊技機。
【手続補正２】
【補正対象書類名】明細書
【補正対象項目名】０００４
【補正方法】変更
【補正の内容】
【０００４】
【課題を解決するための手段】
請求項１に係る発明は、遊技盤に設けられた構造物としての表示器と、前記表示器の前側に設けられ音響空間を構成する透明な振動板と、前記音響空間内の空気を通して前記振動板に圧力を加えることに基づいて前記振動板を振動させて音波を放出するドライバと  を備えたところに特徴を有する。
上記発明によれば、振動板が遊技盤の構造物に設けられているので、大口径の振動板を設置する専用の大領域が不要になる。このため、ランプカバー等の他部品を小形化することに基づいて振動板の専用領域を確保する必要がなくなるので、電飾的演出等の音以外の演出効果を低下させることなく音的演出効果を高めることができる。しかも、振動板が構造物の前側に設けられている。このため、構造物内に振動板を埋設する場合に比べて音の放出性が高まるので、音的演出が遊技者に鮮明に伝わり易くなる。また、透明な振動板が使用されている。このため、構造物を前方から視覚的に認識することができるので、構造物の本来の機能が振動板の影響で損なわれることが防止される。また、振動板が表示器の前側に設けられている。この表示器は遊技者の目線が集中するものであり、遊技者の着席状態で目線の高さに配置される。このため、遊技者の耳に向う音波の指向性が一層高まるので、遊技者が音的演出を一層聞取り易くなる。しかも、透明な振動板が使用されているので、表示器の映像的演出効果が振動板の影響で損なわれることが防止される。これと共に映像的演出および音的演出が遊技者の目および耳の高さに位置する同一部分で行われるので、両演出の一体感が高まる。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
その他発明１は、構造物と振動板とドライバとをユニット化するところに特徴を有する。
上記発明によれば、構造物と振動板とドライバとを単一のユニットとして遊技盤に一挙に組付けることができる。このため、構造物〜ドライバを遊技盤に組付けながら密閉された音響空間を形成する面倒な作業が不要になるので、構造物〜ドライバの遊技盤に対する組付作業が簡単になる。しかも、ユニットの組付け前に音響空間の密閉度を検査することができる。このため、構造物〜ドライバの組付け後に他の部品間の隙間を通して密閉度の検査を行う必要がなくなるので、密閉度の検査が容易になる。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
その他発明２は、振動板，ドライバ，表示器，表示基板，音基板をユニット化するところに特徴を有する。
上記発明によれば、例えば表示基板の表示制御装置から音基板の音制御装置に音的演出内容を指令するにあたって、両者を電気的に接続するハーネスの長さ寸法が短くなるので、パチンコ球の帯電電荷に起因するノイズが指令信号に乗り難くなる。このため、表示制御装置が送信する指令信号と音制御装置が受信する指令信号とが確実に整合するようになるので、音制御装置および表示制御装置が整合性の取れた映像的演出および音的演出を行うことができる。しかも、音響空間を予め密閉することができるので、音響空間の密閉性が高まる。
【手続補正７】
【補正対象書類名】明細書
【補正対象項目名】０００９
【補正方法】変更
【補正の内容】
【０００９】
その他発明３は、振動板とドライバとを第１のユニットとして一体化し、表示器と表示基板と音基板とを第２のユニットとして一体化し、第１のユニットおよび第２のユニットを台枠に対して個別に着脱可能にするところに特徴を有する。
上記発明によれば、振動板，ドライバおよび表示器，表示基板，音基板が着脱可能な独立した第１のユニットおよび第２のユニットにされているので、第１のユニットを取外してドライバ等のメンテナンス作業を行ったり、第２のユニットを取外して表示制御装置や音制御装置等のメンテナンス作業を行うことができる。このため、多数の部品のなかからメンテナンス対象物を選別して取外す面倒な作業が不要になるので、メンテナンスが簡単になる。しかも、遊技機をパチンコホールの台島に設置した後に表示制御装置および音制御装置の検査を行う場合に表示制御装置および音制御装置を第２のユニットとして一度に取外すことができるので、表示制御装置および音制御装置の検査が容易になる。
【手続補正８】
【補正対象書類名】明細書
【補正対象項目名】００１０
【補正方法】変更
【補正の内容】
【００１０】
【発明の実施の形態】
本発明の実施例１〜４を説明する。これら実施例１〜４の中には特許請求の範囲に記載された発明に加えて下記（１）〜（３）の発明が記載されている。
（１）構造物と振動板とドライバとは、ユニット化されていることを特徴とする遊技機。
（２）ドライバを駆動制御する音制御装置が搭載された音基板と、  表示器を駆動制御する表示制御装置が搭載された表示基板とを備え、
振動板とドライバと表示器と表示基板と音基板とは、ユニット化されていることを特徴とする遊技機。
（３）振動板，ドライバを一体化してなる第１のユニットと、
表示器，表示基板，音基板をケース内に収納してなる第２のユニットと、
遊技盤に設けられ、第１のユニットおよび第２のユニットを保持することに基づいてユニット化する台枠とを備え、
第１のユニットおよび第２のユニットは、台枠に対して個別に着脱可能にされていることを特徴とする遊技機。
以下、本発明の第１実施例を図１〜図９に基づいて説明する。パチンコホールの台島には、図４に示すように、外枠１が設置されている。この外枠１は前後面が開口する四角筒状をなすものであり、外枠１の前面には前面扉２が左側辺部の垂直な軸（図示せず）を中心に回動可能に装着されている。この前面扉２は外枠１の前面開口部を開閉する矩形枠状をなすものであり、前面扉２の内周面にはコ字状の金枠３が固定されている。また、金枠３には横長な長方形状の上皿板４が装着されており、上皿板４の前面には上皿５が固定されている。この上皿５は賞品球として払出されるパチンコ球を貯溜するものであり、上面が開口する容器状をなしている。